(57)【要約】【課題】ユーザの体型に合致し、身体の臀部から背部にかけての湾曲度合い、曲がり具合に対応して腰部の適度な固定と動き易さを保持するとともに、装着感の優れたコルセット及びコルセット用補強部材を提供する。【解決手段】  背当部２の表面Ｓ側には、巻付け方向に対して縦方向等間隔に４本、補強部材９が取り付けられ、表面Ｓ側からカバー１０が補強部材を覆っている。補強部材９は、弾性の合成樹脂素材からなり、３段階の厚さからなる。すなわち、背当部分が身体に当接した場合に、身体の臀部に接する厚部９ａと、臀部と腰部との間に位置する中厚部９ｂと、腰部から背部に位置する薄部９ｃとの３つの厚さから構成される。また、厚部と中厚部との間では、身体の臀部と腰部との間接部分に位置するように、１５０度程度の鈍角で折曲する折曲部９ｄを備えている。【選択図】図１
0003111302.tif 000002
【実用新案登録請求の範囲】
【請求項１】
身体の腰部に当接する背当部と、身体の側面から前方に向かって巻き付け固定する巻付部とを備えたコルセットにおいて、
前記背当部には、所定間隔で、巻付方向と略垂直方向に、身体の臀部から背部に当接する補強部材が設けられ、
前記補強部材は、身体の臀部から背部に向かって、順次曲がり強度が弱くなるように構成されていることを特徴とするコルセット。
【請求項２】
前記補強部材は、前記コルセットの下部になる臀部側から上部になる背側にかけて曲がり強度の強い順に、厚部、中厚部及び薄部の３段階の厚さから構成されることを特徴とする請求項１記載のコルセット。
【請求項３】
前記補強部材は、前記厚部と前記中厚部との間で折曲する折曲部を備えることを特徴とする請求項２記載のコルセット。
【請求項４】
前記背当部分のうち、前記コルセットの上部になる背側には、補助ベルトが設けられていることを特徴とする請求項１乃至３のいずれか１項に記載のコルセット。
【請求項５】
前記背当部における前記補強部材の間には、前記コルセットの上部になる背側が開口した収納部を備えることを特徴とする請求項１乃至４のいずれか１項に記載のコルセット。
【請求項６】
身体の腰部に当接する背当部と、身体の側面から前方に向かって巻き付け固定する巻付部とを備えたコルセットの前記背当部に用いるコルセット用補強部材であって、
身体の臀部から背部に向かって、順次曲がり強度が弱くなるように構成されていることを特徴とするコルセット用補強部材。
【請求項７】
臀部側から曲がり強度の強い厚部、中厚部、薄部の３段階に構成されることを特徴とする請求項６記載のコルセット用補強部材。
【請求項８】
前記厚部と前記中厚部との間で折曲する折曲部を備えることを特徴とする請求項７記載のコルセット用補強部材。
【考案の詳細な説明】
【技術分野】
【０００１】
本考案は、腰部を適度に固定するとともに腰痛の予防及び緩和に最適なコルセットに関する。
【背景技術】
【０００２】
従来から、腰痛の予防及び緩和を目的として、腰部を固定するためのコルセットが多く提案されている。このコルセットは、帯状のベルトを腰部に当接する背当部と、身体の側方から前側にかけて巻き付ける巻付部とからなり、巻付部の先端に設けられた面ファスナーなどの固定手段により身体の前側でベルトを固定して使用するものが一般的である。
【０００３】
このようなコルセットでは、身体の臀部から背部にかけての湾曲にあわせてフィットさせるため、コルセットの背当て部分に補強部材を設けている。すなわち、コルセットの背当部が腰部に当てられることによって補強部材が適度に湾曲し、身体の臀部から背部にかけてのコルセットのフィット感を向上させるようになっている。
【０００４】
この補強部材には、金属製の帯板を軟質の合成樹脂材によって覆い、これを７０℃から８０℃の熱で所望形状、すなわち、使用者の体型に合致させた形状に成形して用いるものがある（特許文献１）。また、身体の臀部から背部にかけての湾曲に合致する形状に予め湾曲させた細板状の合成樹脂を背当部に設けたものもある（特許文献２）。
【特許文献１】実開平６−４６７１６号公報
【特許文献２】特開２００２−２３８９３２号公報
【考案の開示】
【考案が解決しようとする課題】
【０００５】
従来の補強部材は、いずれも部材の全体に渡って同じ厚さ、強度で構成されていた。しかしながら、コルセットの背当部分が当接する臀部から背部は、その長さ方向に向かって、いずれの箇所においても、筋肉の付き方や曲げ伸ばしの具合が異なるから、補強部材全体に渡って同様の強度で構成されていても、例えば、伸屈のない臀部部分における固定が十分でなかったり、関節の動きに応じて大きく伸屈される背中部分の強度が硬すぎたりして、使用者に動き難さを感じさせるなど装着感に影響が生じる場合があった。
【０００６】
本考案は、上記のような課題を解決するもので、その目的は、ユーザの体型に合致し、身体の臀部から背部にかけての湾曲度合い、曲がり具合に対応して腰部の適度な固定と動き易さを保持しつつ、装着感の優れたコルセット及びコルセット用補強部材を提供することにある。
【課題を解決するための手段】
【０００７】
上記の目的を達成するため、請求項１の考案は、身体の腰部に当接する背当部と、身体の側面から前方に向かって巻き付け固定する巻付部とを備えたコルセットにおいて、前記背当部には、所定間隔で、巻付方向と略垂直方向に、身体の臀部から背部に当接する補強部材が設けられ、前記補強部材は、身体の臀部から背部に向かって、順次曲がり強度が弱くなるように構成されていることを特徴とする。
【０００８】
請求項６の考案は、請求項１に記載のコルセットに用いるコルセット用補強部材であって、身体の腰部に当接する背当部と、身体の側面から前方に向かって巻き付け固定する巻付部とを備えたコルセットの前記背当部に用いるコルセット用補強部材であって、身体の臀部から背部に向かって、順次曲がり強度が弱くなるように構成されていることを特徴とする。
【０００９】
以上のような態様では、コルセットの背当部に設けた補強部材が、曲がり強度の異なるように構成されていることによって、この補強部材が、身体の臀部から背部にかけた湾曲にあわせて当接することによって、腰部にコルセットをフィットさせることができるとともに、腰部の曲げ伸ばしによって曲げ量の変わる背部側に対しては、適度な固定と適度な動き易さを保つことができるようになり、腰部の可動域を確保したより正確な固定ができるようになる。
【００１０】
請求項２の考案は、請求項１に記載の考案において、前記補強部材は、前記コルセットの下部になる臀部側から上部になる背側にかけて曲がり強度の強い順に、厚部、中厚部及び薄部の３段階の厚さから構成されることを特徴とする。
請求項７の考案は、請求項１に記載のコルセットに用いるコルセット用補強部材であって、請求項６記載の考案において、臀部側から曲がり強度の強い厚部、中厚部、薄部の３段階に構成されることを特徴とする。
【００１１】
以上のような態様では、臀部側を厚さの厚い、すなわち曲がり強度の強い厚部で構成し、背部側にかけて、２段階に薄くすることによって、請求項１又は６記載の考案に加えてさらに、腰部の曲げ伸ばしによって曲げ量の変わる背部側に対しては、適度な固定と適度な動き易さを保つことができるようになり、腰部の可動域を確保したより正確な固定ができるようになる。
【００１２】
請求項３の考案は、請求項２記載の考案において、前記補強部材は、前記厚部と前記中厚部との間で折曲する折曲部を備えることを特徴とする。
請求項８の考案は、請求項３に記載のコルセットに用いるコルセット用補強部材であって、請求項７記載の考案において、厚部と中厚部との間で折曲する折曲部を備えることを特徴とする。
【００１３】
以上のような態様では、前記厚部と前記中厚部との間で折曲する折曲部を備えていることにより、当該折曲部を身体の臀部と腰部との間の関節部分に当接することで、補強部材を臀部から腰部にかけての湾曲に合致させることができ、より身体の臀部から背部にかけてコルセットの固定を確実にすることができる。
【００１４】
請求項４の考案は、請求項１乃至３のいずれか１項に記載の考案において、前記背当部分のうち、前記コルセットの上部になる背側には、補助ベルトが設けられていることを特徴とする。
【００１５】
以上のような態様では、補強部材に折曲部が設けられていることにより、使用者によってはコルセットの上部が臀部から腰部にかけての湾曲よりも反って、外側に向けて離れてしまい、コルセットの十分の固定がなされないこともあるが、背当部の上部に補助ベルトが設けられているため、この補助ベルトの締め付けによってコルセット上部を身体にしっかりと押さえつけることできる。これにより、コルセット全体での固定が可能となる。
【００１６】
請求項５の考案は、請求項１乃至４ののいずれか１項に記載の考案において、前記背当部における前記補強部材の間には、前記コルセットの上部になる背側が開口した収納部を備えることを特徴とする。
各補強部材の間には、上部が開口した収納部が設けられていることにより、ここに、例えば磁石を挿入することができるので、この磁石の磁力により、腰部の血行を促進させることができる。また、例えば、使い捨て懐炉などの保温手段を挿入することによって保温効果を期待することができる。
【考案の効果】
【００１７】
以上のように、本考案によれば、ユーザの体型に合致し、身体の臀部から背部にかけての湾曲度合い、曲がり具合に対応して腰部の適度な固定と動き易さを保持するとともに、装着感の優れたコルセット及びコルセット用補強部材を提供することができる。
【考案を実施するための最良の形態】
【００１８】
次に、本考案のコルセットを実施するための最良の実施形態について、図を参照して説明する。なお、すでに説明した従来の技術と共通の前提事項は再言しない。
【００１９】
［１．構成］
図１には、（ａ）と（ｂ）にそれぞれコルセット１の表面側と裏面側の全体構成を示す。同図に示すように、コルセット１は、全体が帯状でなり、中央に身体の腰部に当接する背当部２と、背当部２の左右に設けられ身体の側面から前面に巻き付ける巻付け部３ａ，３ｂとからなる。
【００２０】
この巻付け部３ａ、３ｂには、身体の前側においてコルセットを固定する固定部４ａ，４ｂ（以下、まとめて固定部４とする。）が設けられている。この固定部４は、表面と裏面とで異なる構成からなり、表面Ｓには、雌側の面ファスナー５が設けられている。一方、裏面Ｌの一方には、雄側の面ファスナー６が設けられている。すなわち、この裏面Ｌの雄側の面ファスナー６と表面Ｓの雌側の面ファスナー５とが貼着することにより、コルセット１は身体に固定されるようになっている。
【００２１】
また、巻付け部３の固定部４より背当部２側には細かいメッシュ状の側部７が設けられ、固定部４と側部７の間には、図１（ｂ）に示すように、コルセットの巻き方向に対して縦方向に向けて、ゴムをステッチ状に形成した滑り止め８が設けられている。
【００２２】
一方、図１（ａ）に示すように、背当部２の表面Ｓ側には、巻付け方向に対して縦方向等間隔に４本、補強部材９（図中一点鎖線で示す。）が取り付けられ、表面Ｓ側からカバー１０が補強部材を覆っている。また、補強部材の間には、後述する補助ベルト１３を取り外した状態の図２の構成図に示すとおり、目の大きなメッシュにより、上部が開口する形でポケット１１が２つ設けられている。このポケットには、図３に示すような血行を促進する磁石１２ａを備えた板１２が挿入されている。
【００２３】
また、この表面Ｓの上側には、左右一対の補助ベルト１３が設けられている。この補助ベルト１３は、伸縮性のあるゴム等の素材からなる補助巻付部１３ａと、その先端に設けられ、表面に雄側の面ファスナーを裏面に雌側の面ファスナーを設けた備えた補助固定部１３ｂとから構成されている。この補助ベルト１３は、固定部４を身体の腰部に固定した後、左右方向から身体前側に引っ張り、身体前側の固定部４の雌側面ファスナー５の下側にＶ字状に貼着して用いるものである。
【００２４】
一方、背当部２の裏面Ｌ側は、側部７と同様のメッシュ状の生地によって構成され、表面Ｓ側の補強部材９の位置に対応して、巻付け方向縦向き等間隔に４本のゴムステッチからなる滑り止め１４が設けられている。
【００２５】
次に、補強部材９の具体的構成について、図４を用いて説明する。補強部材９は、弾性の合成樹脂素材からなり、図３に示すように、３段階の厚さからなる。すなわち、背当部分が身体に当接した場合に、身体の臀部に接する厚部９ａと、臀部と腰部との間に位置する中厚部９ｂと、腰部から背部に位置する薄部９ｃとの３つの厚さから構成される。また、厚部と中厚部との間では、身体の臀部と腰部との間接部分に位置するように、１５０度程度の鈍角で折曲する折曲部９ｄを備えている。
【００２６】
［２．作用効果］
以上のような構成からなる本実施形態の作用効果は次のとおりである。すなわち、使用者はまず、コルセット１の背当部２を身体の腰部から臀部にかけての腰関節部分に当てる。このとき、補強部材９の折曲部９ｄが関節位置に当接するように上下位置を整える。次に、巻付け部３ａ，３ｂを側方から前面に巻付け、一対の固定部４ａ，４ｂを重ね合わせて、身体前側において雄側面ファスナー６を雌側面ファスナー５に対して重ね合わせて固定する。
【００２７】
次に、左右両方の補助ベルト１３を身体前側に引っ張り、補助固定部１３ｂの裏面側に設けられた雄側面ファスナーを、すでに互いに貼着された固定部４の雌側面ファスナー５最下部にそれぞれ取り付ける。これにより、補助ベルト１３の締め付けによってコルセット１の背当部２上部を身体にしっかりと押さえつけることできるようになる。
【００２８】
なお、補助固定部１３ｂの表面側には、いずれも雌側面ファスナーが取り付けられていることから、補助ベルト１３の一方を雌側面ファスナー５に取り付け、さらに、その取り付けた補助ベルト１３の補助固定部１３ｂに対して、他方の補助固定部１３ｂを重ね合わせることによって、補助ベルト１３を補助固定部１３ｂ同士の雌雄の面ファスナーの噛み合わせにより固定することも可能である。この場合、補助ベルト１３を固定部４に固定する場合に比べて、より身体の前側で強く固定することが可能となる。
【００２９】
以上のような本実施形態によれば、コルセット１の背当部２に設けた補強部材９が、曲がり強度の異なる３つの厚みから構成され、さらに、厚部９ａと中厚部９ｂとの間で折曲する折曲部９ｄを備えていることにより、当該折曲部９ｄを身体の臀部と腰部との間の関節部分に当接することによって、身体の臀部から背部にかけてコルセット１をフィットさせることができる。特に、臀部側を厚さの厚い、すなわち曲がり強度の強い厚部９ａで構成し、背部側にかけて、２段階に薄くすることによって、腰関節の曲げ伸ばしによって曲げ量の変わる背部側に対しては、適度な固定と適度な動き易さを保つことができるようになり、腰部の可動域を確保したより正確な固定ができるようになる。
【００３０】
また、補強部材９に対応した位置の裏面Ｌには、ゴムステッチ状の滑り止め１４が施されているため、巻き付け時に補強部材９の位置を合わせを行えば、例えば、腰の曲げ伸ばしなどによってコルセット１がずれるのを防ぐことができる。同様に巻付け部３の側部７にも滑り止め８が施されているため、側部７の固定もしっかりと行うことができる。
【００３１】
ここで、補強部材９に折曲部９ｄが設けられていることにより、使用者によってはコルセット１の上部が臀部から腰部にかけての湾曲よりも反って、コルセット１が外側に向けて離れてしまい、コルセットの十分の固定がなされないこともあるが、本実施形態のコルセット１では、背当部２の表面Ｓ側上部に補助ベルト１３が設けられているため、この補助ベルト１３の締め付けによってコルセット１上部を身体にしっかりと押さえつけることできる。これにより、コルセット全体での固定が可能となる。特に、補助ベルト１３を、身体の前側下部で、固定部４の雌側面ファスナー５に固定することにより、コルセット１全体での固定をより確実に行うことができるようになる。
【００３２】
また、各補強部材９の間には、大径のメッシュからなるポケット１１が設けられており、ここに、磁石１２ａを取り付けた板１２を挿入することができるので、この磁石の磁力により、腰部の血行を促進させることができる。なお、このポケット１１には、このような磁石に限らず、例えば、使い捨て懐炉などの保温手段を挿入することもできる。
【００３３】
また、コルセット１は、全体として、固定部４と補強部材９を設けた箇所のほかは、メッシュ素材で構成されているため、長時間装着した場合でも蒸れることはなく、装着感が良い。さらに補強部材９が合成樹脂で形成されているのと相まって、非常に軽量に構成することができる。
【００３４】
［３．他の実施形態］
なお、本考案は上記実施形態に限定されるものではなく、次に例示するような他の実施形態も含むものである。上記実施形態において、補強部材は、３段階の厚みによって構成したが、身体の臀部側から背部側にかけて、徐々に厚みが薄くなるような構成であれば、本実施形態の効果は奏し得る。また、補強部材に折曲部を設けず、全体を湾曲させるような構成としてもよい。さらに、補助ベルトやポケットは必須の構成ではない。
【００３５】
また、固定部における固定手段は、上述の面ファスナーに限られず、コルセットを身体に固定させる手段であればいずれのものでも代用可能であるが、簡易迅速に固定できる手段としては面ファスナーが最適である。
【図面の簡単な説明】
【００３６】
【図１】本考案の実施形態におけるコルセットの全体構成図。
【図２】本考案の実施形態におけるコルセットの補助ベルトを除いた構成図。
【図３】本考案の実施形態における磁石を備えた板を示す図。
【図４】本考案の実施形態における補強部材の構成を示す斜視図。
【符号の説明】
【００３７】
１…コルセット
２…背当部
３，３ａ，３ｂ…巻付け部
４，４ａ，４ｂ…固定部
５…雌側面ファスナー
６…雄側面ファスナー
７…側部
８，１４…滑り止め
９…補強部材
９ａ…厚部
９ｂ…中厚部
９ｃ…薄部
９ｄ…折曲部
１０…カバー
１１…ポケット
１２…板
１２ａ…磁石
１３…補助ベルト
１３ａ…補助巻付部
１３ｂ…補助固定部
【図１】
0003111302.tif 000003
【図２】
0003111302.tif 000004
【図３】
0003111302.tif 000005
【図４】
0003111302.tif 000006